(57)【要約】【課題】簡易な構成によりＲＲＨ間の干渉の問題を解消することができる無線通信システムを提供する。【解決手段】無線通信システムは、ベースバンド信号処理を行い、ベースバンド信号を出力する複数のベースバンド処理装置と、前記複数のベースバンド処理装置と接続し、前記複数のベースバンド処理装置のうちの１つから出力されるベースバンド信号に対して無線周波数信号処理を行うことにより得られる無線周波数信号を送信する無線装置と、を備える。【選択図】図２
2018074296.tif 000002
【特許請求の範囲】
【請求項１】
ベースバンド信号処理を行い、ベースバンド信号を出力する複数のベースバンド処理装置と、
前記複数のベースバンド処理装置と接続し、前記複数のベースバンド処理装置のうちの１つから出力されるベースバンド信号に対して無線周波数信号処理を行うことにより得られる無線周波数信号を送信する無線装置と、
を備える、
無線通信システム。
【請求項２】
前記無線装置は、１つの前記ベースバンド処理装置により形成される１つのセルの端に配置される、
請求項１に記載の無線通信システム。
【請求項３】
前記無線装置は、前記複数のベースバンド処理装置のうち、先にリンクを確立したベースバンド処理装置から出力されるベースバンド信号に対して前記無線周波数信号処理を行う、
請求項１に記載の無線通信システム。
【請求項４】
前記複数のベースバンド処理装置は、所定の時間間隔毎に予め優先度が規定されており、
前記複数のベースバンド処理装置のうち、最も高い優先度が規定されたベースバンド処理装置が、前記無線装置へベースバンド信号を出力する、
請求項１に記載の無線通信システム。
【請求項５】
前記最も高い優先度が規定されたベースバンド処理装置がベースバンド信号を出力しない場合、次の優先度が規定されたベースバンド処理装置がベースバンド信号を出力する、
請求項４に記載の無線通信システム。
【請求項６】
前記複数のベースバンド処理装置は、互いの負荷に関する情報を取得し、
前記複数のベースバンド処理装置のうち、最も負荷が高いベースバンド処理装置が、ベースバンド信号を出力する、
請求項１に記載の無線通信システム。
【請求項７】
前記最も負荷が高いベースバンド処理装置がベースバンド信号を出力しない場合、次に負荷が高いベースバンド処理装置がベースバンド信号を出力する、
請求項６に記載の無線通信システム。
【発明の詳細な説明】
【技術分野】
【０００１】
本開示は、無線通信システムに関する。
【背景技術】
【０００２】
近年、セルラ方式の無線通信システムにおいて、集中型無線アクセスネットワーク（Ｃ−ＲＡＮ：Centralized Radio Access Network）と呼ばれるアーキテクチャの導入が検討されている。
【０００３】
Ｃ−ＲＡＮでは、ベースバンド信号に対する処理を行うベースバンドユニット（ＢＢＵ）と、ベースバンド信号と無線周波数（ＲＦ：Radio Frequency）信号との間の変換及びＲＦ信号の送受信を行う遠隔無線装置（ＲＲＨ：Remote Radio Head）とが、物理的に分離されている。そして、集中制御局に配置される１つのＢＢＵが、分散配置された複数のＲＲＨと光ファイバケーブル等で接続された構成を採る。
【０００４】
このようなＣ−ＲＡＮの構成では、端末との距離が近くなるように複数のＲＲＨを分散配置することにより通信品質の改善が可能であるため、柔軟なカバレッジの拡張を行うことができる。また、１つのＢＢＵが複数のＲＲＨを制御できるため、複数のＲＲＨ間の協調動作を容易に行うことができる。同一のＢＢＵと接続する複数のＲＲＨ同士では、協調動作を行うことにより干渉の問題を制御することができる。
【０００５】
しかしながら、１つのＢＢＵに接続可能なＲＲＨの数には限界がある。また、互いに異なるＢＢＵと接続するＲＲＨ間では協調動作が困難なため、端末の通信相手とは異なるＲＲＨから送信される信号による干渉の問題が生じてしまうという課題がある。
【０００６】
この課題に対して、例えば、非特許文献１では、ＲＲＨの送信制御のための情報をＢＢＵの間で送受信することにより、互いに異なるＢＢＵと接続するＲＲＨ間における干渉の問題を解消する技術が開示されている。
【先行技術文献】
【非特許文献】
【０００７】
【非特許文献１】信学技報，vol.112, no.424, RCS2012-250, pp.73-78, 2013年1月
【発明の概要】
【発明が解決しようとする課題】
【０００８】
しかしながら、非特許文献１の技術では、ＲＲＨの送信制御のための情報を異なるＢＢＵの間で送受信するため、ＲＲＨの制御が複雑になり、送受信される情報量が多くなってしまうという課題がある。
【０００９】
本開示の非限定的な実施例は、簡易な構成によりＲＲＨ間の干渉の問題を解消することができる無線通信システムを提供することである。
【課題を解決するための手段】
【００１０】
本開示の一態様に係る無線通信システムは、ベースバンド信号処理を行い、ベースバンド信号を出力する複数のベースバンド処理装置と、前記複数のベースバンド処理装置と接続し、前記複数のベースバンド処理装置のうちの１つから出力されるベースバンド信号に対して無線周波数信号処理を行うことにより得られる無線周波数信号を送信する無線装置と、を備える。
【００１１】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１２】
本開示の一態様によれば、簡易な構成によりＲＲＨ間の干渉を抑制することができる。
【００１３】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】従来のＣ−ＲＡＮ構成の無線通信システムの一例を示す図
【図２】本開示の実施の形態１に係る無線通信システムの全体構成の一例を示す図
【図３】本開示の実施の形態１に係る無線通信システムの要部構成の一例を示す図
【図４】本開示の実施の形態２に係る無線通信システムの要部構成の一例を示す図
【図５】本開示の実施の形態２の変形例に係る無線通信システムの要部構成の一例を示す図
【図６】本開示の実施の形態３に係る無線通信システムの要部構成の一例を示す図
【発明を実施するための形態】
【００１５】
（本開示に至る経緯）
まず、本開示に至る経緯について説明する。本開示は、ベースバンド信号に対する処理を行うベースバンドユニット（ＢＢＵ）と、ベースバンド信号とＲＦ（Radio Frequency）信号との間の変換及びＲＦ信号の送受信を行う遠隔無線装置（ＲＲＨ：Remote Radio Head）とが、物理的に分離されたＣ−ＲＡＮ構成を有する無線通信システムに関する。
【００１６】
図１は、従来のＣ−ＲＡＮ構成の無線通信システムの一例を示す図である。
【００１７】
図１には、コアネットワークＮに有線接続するＢＢＵ１００とＢＢＵ２００とが示される。また、光ファイバケーブルによってＢＢＵ１００に接続するＲＲＨ１１〜ＲＲＨ１５と、光ファイバケーブルによってＢＢＵ２００に接続するＲＲＨ２１〜ＲＲＨ２５とが示される。そして、ＲＲＨ１１〜ＲＲＨ１５、および、ＲＲＨ２１〜ＲＲＨ２５は、分散配置され、それぞれの通信エリア内に存在する端末（例えば、端末３１〜端末３３）と無線接続する。ＲＲＨ１１〜ＲＲＨ１５は、セル１を形成し、ＲＲＨ２１〜ＲＲＨ２５は、セル２を形成する。
【００１８】
なお、本開示におけるセルとは、１つのＢＢＵにより形成される通信エリア、より詳細には、１つのＢＢＵと接続する各ＲＲＨの通信エリアを含む通信エリアを指す。
【００１９】
また、図示しないが、ＢＢＵ１００とＢＢＵ２００との間は、直接インタフェース（例えば、Ｘ２インタフェース）でお互いに接続されていても良い。
【００２０】
端末３１は、ＲＲＨ１１と無線接続し、ＲＲＨ１１から送信される信号を受信する。図１では、端末３１は、他のＲＲＨの通信エリアの外であるため、他のＲＲＨから送信される信号の影響を受けない。
【００２１】
図１において、端末３２は、ＲＲＨ２２およびＲＲＨ２３の通信エリア内に存在し、ＲＲＨ２２と無線接続し、ＲＲＨ２２から送信される信号を受信する。ＲＲＨ２２とＲＲＨ２３は、同じＢＢＵ２００と接続し、ＢＢＵ２００の制御により協調動作が行われるため、端末３２は、ＲＲＨ２２からの信号の受信する時に、ＲＲＨ２３から送信される信号による干渉を受けない。例えば、端末３２がＲＲＨ２２から信号を受信する時にＲＲＨ２３が信号を送信しないように、ＢＢＵ２００は、ＲＲＨ２２とＲＲＨ２３の送信を時分割で実行させることができる。
【００２２】
図１において、端末３３は、セル１の端に配置されたＲＲＨ１５、および、セル１の端と近接するセル２の端に配置されたＲＲＨ２５の通信エリア内に存在し、ＲＲＨ１５と無線接続し、ＲＲＨ１５から送信される信号を受信する。この場合、ＲＲＨ１５とＲＲＨ２５は、互いに異なるＢＢＵ（つまり、ＢＢＵ１００とＢＢＵ２００）と接続するため、協調動作が困難である。そのため、ＲＲＨ１５とＲＲＨ２５が同時に同一周波数帯の信号を送信すると、ＲＲＨ１５から送信される信号を受信する端末３３は、ＲＲＨ２５から送信される信号による干渉を受けてしまう。
【００２３】
つまり、図１に示すようなＣ−ＲＡＮ構成では、互いに異なるＢＢＵと接続するＲＲＨ同士が近距離で且つ同時に同一周波数帯の信号を送信することにより、一方のＲＲＨから送信される信号を受信する端末において、他方のＲＲＨから送信される信号が干渉となってしまう。
【００２４】
本発明者らは、複数のＢＢＵそれぞれから１つのＲＲＨへ信号を出力し、該ＲＲＨが１つの信号を選択して送信する構成を導入することにより、ＲＲＨ間の干渉の問題を解消できることを着想し、本開示に至った。
【００２５】
以下、本開示の実施の形態について、図面を参照して詳細に説明する。なお、以下に説明する実施の形態は一例であり、本開示は以下の実施の形態により限定されるものではない。
【００２６】
（実施の形態１）
図２は、本実施の形態１に係る無線通信システムの全体構成の一例を示す図である。なお、図２において、図１と同様の構成については、同一の符番を付し、その説明を省略する。
【００２７】
図２では、図１においてセル１の端に配置されたＲＲＨ１５と、セル２の端に配置されたＲＲＨ２５との代わりに、ＲＲＨ４０が配置される。つまり、ＲＲＨ４０は、セルの端に設置される。また、図２では、図１のＢＢＵ１００とＢＢＵ２００とが、それぞれ、ＢＢＵ１０とＢＢＵ２０に置き換わっている。そして、ＲＲＨ４０は、光ファイバケーブルを介して、ＢＢＵ１０とＢＢＵ２０との両方と接続する。つまり、ＲＲＨ４０は、ＢＢＵ１０とＢＢＵ２０との両方からアクセス可能なマルチアクセスＲＲＨである。
【００２８】
なお、図示しないが、ＢＢＵ１０とＢＢＵ２０との間は、直接インタフェース（例えば、Ｘ２インタフェース）でお互いに接続されていても良い。
【００２９】
この構成において、ＲＲＨ４０は、ＢＢＵ１０とＢＢＵ２０とのうち、いずれか一方のＢＢＵから出力されるベースバンド信号を送信する。
【００３０】
具体的に、ＢＢＵ１０、ＢＢＵ２０、および、ＲＲＨ４０の構成について、図３を参照して説明する。
【００３１】
図３は、本実施の形態１に係る無線通信システムの要部構成の一例を示す図である。
【００３２】
ＢＢＵ１０は、コアネットワークインタフェース１０１、光インタフェース１０２、上りリンク制御部１０３、ベースバンド信号処理部１０４、および、下りリンク制御部１０５を備える。また、ＢＢＵ２０は、コアネットワークインタフェース２０１、光インタフェース２０２、上りリンク制御部２０３、ベースバンド信号処理部２０４、および、下りリンク制御部２０５を備える。ＢＢＵ１０とＢＢＵ２０とは、互いに同様の構成を有するため、以下、ＢＢＵ１０の構成について説明し、ＢＢＵ２０の構成についての説明は省略する。
【００３３】
コアネットワークインタフェース１０１は、コアネットワークＮとＢＢＵ１０との間の通信のインタフェースである。
【００３４】
光インタフェース１０２は、ＢＢＵ１０とＲＲＨ４０との間の通信のインタフェースである。光インタフェース１０２は、ＢＢＵ１０内部で処理される電気信号と、光ファイバケーブルにて伝送される光信号との間の変換処理等を行う。
【００３５】
なお、光インタフェース１０２は、ＢＢＵ１０とＲＲＨ４０以外のＲＲＨ（例えば、図２におけるＲＲＨ１１〜ＲＲＨ１４）との間の通信のインタフェースでもある。
【００３６】
上りリンク制御部１０３は、ＲＲＨ４０からＢＢＵ１０への上りリンクの確立のための処理を行う。下りリンク制御部１０５は、ＢＢＵ１０からＲＲＨ４０への下りリンクの確立のための処理を行う。なお、リンク確立のための処理の詳細については、後述する。
【００３７】
ベースバンド信号処理部１０４は、光インタフェース１０２を介してＲＲＨ４０から取得するベースバンド信号に対して、復調処理、復号処理等のベースバンド信号処理を行い、ユーザデータ等のデータを生成する。そして、ベースバンド信号処理部１０４は、コアネットワークインタフェース１０１を介して、生成したデータをコアネットワークＮ内の宛先へ送信する。
【００３８】
また、ベースバンド信号処理部１０４は、コアネットワークインタフェース１０１を介してコアネットワークＮから取得するユーザデータ等に対して、符号化処理、変調処理等のベースバンド信号処理を行い、ベースバンド信号を生成する。そして、ベースバンド信号処理部１０４は、光インタフェース１０２を介して、ＲＲＨ４０へベースバンド信号を出力する。
【００３９】
ＲＲＨ４０は、光インタフェース４０１、下りリンク制御部４０２、無線周波数信号処理部４０３、アンテナ４０４、および、上りリンク制御部４０５を備える。
【００４０】
光インタフェース４０１は、ＢＢＵ１０とＲＲＨ４０との間、および、ＢＢＵ２０とＲＲＨ４０との間の通信のインタフェースである。光インタフェース４０１は、ＲＲＨ４０内部で処理される電気信号と、光ファイバケーブルにて伝送される光信号との間の変換処理等を行う。
【００４１】
下りリンク制御部４０２は、ＢＢＵ（ＢＢＵ１０および／またはＢＢＵ２０）からＲＲＨ４０への下りリンクの確立のための処理を行う。また、上りリンク制御部４０５は、ＲＲＨ４０からＢＢＵ（ＢＢＵ１０および／またはＢＢＵ２０）への上りリンクの確立のための処理を行う。なお、リンク確立のための処理の詳細については、後述する。
【００４２】
無線周波数信号処理部４０３は、光インタフェース４０１を介してＢＢＵ１０またはＢＢＵ２０から取得するベースバンド信号に対して、Ｄ／Ａ変換処理、電力増幅処理、周波数変換処理等の無線周波数信号処理を行い、無線周波数信号を生成する。無線周波数信号処理部４０３は、アンテナ４０４を介して、生成した無線周波数信号を送信する。
【００４３】
また、無線周波数信号処理部４０３は、アンテナ４０４を介して端末から受信する無線周波数信号に対して、周波数変換処理、電力増幅処理、Ａ／Ｄ変換処理等の無線周波数信号処理を行い、ベースバンド信号を生成する。そして、無線周波数信号処理部４０３は、生成したベースバンド信号に含まれる宛先に対応するＢＢＵへベースバンド信号を出力する。
【００４４】
ＢＢＵ１０およびＢＢＵ２０とＲＲＨ４０との間のリンク確立のための処理の一例について説明する。
【００４５】
まず、ＢＢＵ１０の下りリンク制御部１０５は、コアネットワークインタフェース１０１を介してユーザデータを取得した場合、ＲＲＨ４０へ出力すべきベースバンド信号があると判断し、リンクの確立を要求する情報（同期制御情報または同期要求）を含む制御信号をＲＲＨ４０へ出力する。同様に、ＢＢＵ２０の下りリンク制御部２０５は、コアネットワークインタフェース２０１を介してユーザデータを取得した場合、ＲＲＨ４０へ出力すべきベースバンド信号があると判断し、リンクの確立を要求する情報を含む制御信号をＲＲＨ４０へ出力する。
【００４６】
そして、ＲＲＨ４０の下りリンク制御部４０２は、光インタフェース４０１を介して制御信号を取得する。そして、下りリンク制御部４０２は、制御信号に基づき、下りリンクを確立し、ベースバンド信号を出力させるＢＢＵを判定する。
【００４７】
具体的には、下りリンク制御部４０２は、制御信号に含まれるリンク確立の要求に対して、所定のアルゴリズムに基づいて、リンク確立処理を行う。その結果、下りリンク制御部４０２は、先に下りリンクを確立したＢＢＵを、ベースバンド信号を出力させるＢＢＵとして判定する。例えば、図２および図３に示す無線通信システムがＣＰＲＩ（Common Public Radio Interface）に従う場合、下りリンク制御部４０２は、ＣＰＲＩにおけるL1 Synchronizationを先に確立したＢＢＵを、ベースバンド信号を出力させるＢＢＵとして判定する。
【００４８】
下りリンク制御部４０２は、上りリンク制御部４０５に対して、先に下りリンクを確立したＢＢＵの情報を通知する。上りリンク制御部４０５は、先に下りリンクを確立したＢＢＵに対して、上りリンクの確立を要求する情報（同期制御情報または同期応答）を含む制御信号を出力する。
【００４９】
先に下りリンクを確立したＢＢＵがＢＢＵ１０である場合、上りリンク制御部１０３は、光インタフェース１０２を介して、ＲＲＨ４０から制御信号を取得する。この場合、上りリンク制御部１０３は、ＲＲＨ４０との上りリンクを確立する。
【００５０】
ＢＢＵ１０とＲＲＨ４０との間のリンク（上りリンクおよび下りリンク）が確立した後、ＢＢＵ１０のベースバンド信号処理部１０４は、上りリンク制御部１０３からリンク確立の情報を取得する。また、ＲＲＨ４０の無線周波数信号処理部４０３は、上りリンク制御部４０５からリンク確立の情報を取得する。そして、ベースバンド信号処理部１０４と無線周波数信号処理部４０３との間でベースバンド信号の送受信が実行される。
【００５１】
なお、先に下りリンクを確立したＢＢＵがＢＢＵ１０である場合、ＢＢＵ２０の上りリンク制御部２０３は、ＲＲＨ４０から制御信号を取得しないので、ＲＲＨ４０との上りリンクを確立しない。
【００５２】
一方で、先に下りリンクを確立したＢＢＵがＢＢＵ２０である場合、上りリンク制御部２０３は、光インタフェース２０２を介して、ＲＲＨ４０から制御信号を取得する。この場合、上りリンク制御部２０３は、ＲＲＨ４０との上りリンクを確立する。
【００５３】
ＢＢＵ２０とＲＲＨ４０との間のリンク（上りリンクおよび下りリンク）が確立した後、ＢＢＵ２０のベースバンド信号処理部２０４は、上りリンク制御部２０３からリンク確立の情報を取得する。また、ＲＲＨ４０の無線周波数信号処理部４０３は、上りリンク制御部４０５からリンク確立の情報を取得する。そして、ベースバンド信号処理部２０４と無線周波数信号処理部４０３との間でベースバンド信号の送受信が実行される。
【００５４】
なお、先に下りリンクを確立したＢＢＵがＢＢＵ２０である場合、ＢＢＵ１０の上りリンク制御部１０３は、ＲＲＨ４０から制御信号を取得しないので、ＲＲＨ４０との上りリンクを確立しない。
【００５５】
以上、説明したように、本実施の形態１に係る無線通信システムは、ベースバンド信号処理を行い、ベースバンド信号を出力するＢＢＵ１０とＢＢＵ２０（複数のベースバンド処理装置）と、ＢＢＵ１０とＢＢＵ２０とに接続し、ＢＢＵ１０とＢＢＵ２０のうちの１つから出力されるベースバンド信号に対して無線周波数信号処理を行うことにより得られる無線周波数信号を送信するＲＲＨ４０（無線装置）と、を備える。
【００５６】
このような構成により、ＲＲＨ４０は、異なるＢＢＵがベースバンド信号を出力する場合であっても、いずれか１つのベースバンド信号の無線周波数信号処理を行い、無線周波数信号を送信するため、ＲＲＨ４０の通信エリア内における干渉の問題を解消できる。その結果、無線通信システム全体のスループットを向上させることができる。
【００５７】
また、本実施の形態１では、ＲＲＨ４０は、ＢＢＵ１０により形成される１つのセル、および／または、ＢＢＵ２０により形成される１つのセルの端に設置される。
【００５８】
このような構成により、セル間の干渉の問題を解消することができる。また、セルの端以外に設置されるＲＲＨは、複数のＢＢＵと接続させる構成を採る必要が無いため、無線通信システム全体のコストを削減することができる。
【００５９】
また、本実施の形態１では、ＲＲＨ４０は、ＢＢＵ１０およびＢＢＵ２０のうち、先にリンクを確立したＢＢＵから出力されるベースバンド信号に対して無線周波数信号処理を行う。
【００６０】
このような構成により、ＢＢＵの構成を変更することなく、ＲＲＨ４０の通信エリア内における干渉の問題を解消でき、無線通信システム全体のスループットを向上させることができる。
【００６１】
（実施の形態２）
実施の形態１では、ＲＲＨ４０に接続するＢＢＵ１０およびＢＢＵ２０のうち、先にリンクを確立したＢＢＵがベースバンド信号をＲＲＨ４０へ出力する例について説明した。本実施の形態２では、ＲＲＨ４０に接続するＢＢＵ１０およびＢＢＵ２０が、予め規定された優先度に基づいて、ＲＲＨ４０へベースバンド信号を出力する例について説明する。
【００６２】
本実施の形態２における無線通信システムの全体構成は、図２と同様であるので詳細な説明は省略する。本実施の形態２に係る無線通信システムの要部構成について、図４を参照して説明する。
【００６３】
図４は、本実施の形態２に係る無線通信システムの要部構成の一例を示す図である。なお、図４において、図３と同様の構成については、同一の符番を付し、説明を省略する。
【００６４】
図４のＢＢＵ１０は、図３のＢＢＵ１０に対して、優先度判定部１０６が追加され、下りリンク制御部１０５が下りリンク制御部１０７へ置き換わった構成を有する。また、図４のＢＢＵ２０は、図３のＢＢＵ２０に対して、優先度判定部２０６が追加され、下りリンク制御部２０５が下りリンク制御部２０７へ置き換わった構成を有する。
【００６５】
優先度判定部１０６は、タイムスロット毎に予め規定された優先度を記憶する。この優先度は、ＲＲＨ４０に接続するＢＢＵ１０とＢＢＵ２０との間で、タイムスロット毎に優先的にベースバンド信号を出力できるＢＢＵを規定する。優先度判定部１０６は、優先度に基づいて、下りリンク制御部１０７に対して、下りリンク確立を要求する信号を含む制御信号の生成を指示する。
【００６６】
優先度判定部２０６は、優先度判定部１０６と同様に、タイムスロット毎に予め規定された優先度を記憶する。優先度判定部２０６は、優先度に基づいて、下りリンク制御部２０７に対して、下りリンク確立を要求する信号を含む制御信号の生成を指示する。
【００６７】
例えば、奇数番目のタイムスロットでは、ＢＢＵ１０の優先度がＢＢＵ２０の優先度よりも高く規定され、偶数番目のタイムスロットでは、ＢＢＵ２０の優先度がＢＢＵ１０の優先度よりも高く規定されているとする。
【００６８】
この場合、奇数番目のタイムスロットでは、ＢＢＵ１０の優先度が高いため、優先度判定部１０６は、下りリンク制御部１０７に対して制御信号の生成を指示する。下りリンク制御部１０７は、制御信号を生成し、光インタフェース１０２を介して、ＲＲＨ４０へ制御信号を出力する。一方で、奇数番目のタイムスロットでは、ＢＢＵ２０の優先度が低いため、優先度判定部２０６は、下りリンク制御部２０７に対して制御信号の生成を指示しない。
【００６９】
同様に、偶数番目のタイムスロットでは、ＢＢＵ２０の優先度が高いため、優先度判定部２０６は、下りリンク制御部２０７に対して制御信号の生成を指示する。下りリンク制御部２０７は、制御信号を生成し、光インタフェース２０２を介して、ＲＲＨ４０へ制御信号を出力する。一方で、偶数番目のタイムスロットでは、ＢＢＵ１０の優先度が低いため、優先度判定部１０６は、下りリンク制御部１０７に対して制御信号の生成を指示しない。
【００７０】
ただし、優先度の高いＢＢＵがベースバンド信号をＲＲＨ４０へ出力しない場合、次点の優先度が規定されたＢＢＵがベースバンド信号をＲＲＨ４０へ出力してもよい。
【００７１】
例えば、偶数番目のタイムスロットにおいて、ＢＢＵ１０よりも優先度が高いＢＢＵ２０がベースバンド信号をＲＲＨ４０へ出力しない場合、ＢＢＵ１０の優先度判定部１０６は、下りリンク制御部１０７に対して、制御信号の生成を指示しても良い。
【００７２】
この場合、優先度判定部１０６は、ＢＢＵ２０がベースバンド信号をＲＲＨ４０へ出力するか否かに関する情報を、コアネットワークインタフェース１０１、あるいは、図示しないＸ２インタフェース等の直接接続のインタフェース等を介して取得する。同様に、優先度判定部２０６は、ＢＢＵ１０がベースバンド信号をＲＲＨ４０へ出力するか否かに関する情報を、コアネットワークインタフェース２０１、あるいは、図示しないＸ２インタフェース等の直接接続のインタフェース等を介して取得する。
【００７３】
つまり、ＢＢＵ１０およびＢＢＵ２０では、下りリンク制御部１０７および下りリンク制御部２０７のうちいずれか一方が制御信号を生成するように、優先度判定部１０６および優先度判定部２０６がタイムスロット毎の優先度に基づいて制御信号の生成を指示するか否かを決定する。
【００７４】
図４のＲＲＨ４０は、図３のＲＲＨ４０に対して、下りリンク制御部４０２が下りリンク制御部４０６に置き換わった構成を有する。
【００７５】
下りリンク制御部４０６は、ＢＢＵ１０またはＢＢＵ２０から制御信号を取得する。そして、下りリンク制御部４０６は、制御信号に含まれるリンク確立の要求に対して、所定のアルゴリズムに基づいて、リンク確立処理を行う。
【００７６】
本実施の形態２では、下りリンク制御部４０６は、各タイムスロットにおいて、ＢＢＵ１０またはＢＢＵ２０のいずれか一方から制御信号を取得する。下りリンク制御部４０６は、下りリンクを確立したＢＢＵの情報を上りリンク制御部４０５に対して通知する。上りリンク制御部４０５は、下りリンクを確立したＢＢＵに対して、上りリンクの確立を要求する情報（同期制御情報または同期応答）を含む制御信号を出力する。
【００７７】
下りリンクを確立したＢＢＵの上りリンク制御部（上りリンク制御部１０３または上りリンク制御部２０３）は、ＲＲＨ４０から制御信号を取得し、ＲＲＨ４０との上りリンクを確立する。
【００７８】
そして、ＲＲＨ４０とのリンク（上りリンクおよび下りリンク）が確立されたＢＢＵのベースバンド信号処理部は、ＲＲＨ４０の無線周波数信号処理部４０３とベースバンド信号の送受信を実行する。
【００７９】
以上、説明したように、本実施の形態２では、ＢＢＵ１０およびＢＢＵ２０は、タイムスロット毎（所定の時間間隔毎）に予め優先度が規定されており、ＢＢＵ１０およびＢＢＵ２０のうち、最も高い優先度が規定されたＢＢＵがＲＲＨ４０へベースバンド信号を出力する。
【００８０】
このような構成により、ＲＲＨ４０は、異なるＢＢＵがベースバンド信号を出力する場合であっても、いずれか１つのベースバンド信号の無線周波数信号処理を行い、無線周波数信号を送信するため、ＲＲＨ４０の通信エリア内における干渉を回避できる。その結果、無線通信システム全体のスループットを向上させることができる。
【００８１】
また、このような構成により、ＲＲＨ４０は、複数のＢＢＵから制御信号を取得することを回避できるため、ＲＲＨ４０の処理負荷を低減させることができる。
【００８２】
また、本実施の形態２では、最も高い優先度が規定されたＢＢＵがベースバンド信号を出力しない場合、次の優先度が規定されたＢＢＵがベースバンド信号を出力する。
【００８３】
このような構成により、最も高い優先度が規定されたＢＢＵが優先されるタイムスロットにおいて、ＲＲＨが信号を送信しないという状況を回避でき、無線通信システム全体のスループットの低下を抑えることができる。
【００８４】
なお、本実施の形態２におけるタイムスロットとは、任意の時間である。例えば、１タイムスロットは、１つのサブフレーム（subframe）または１つの無線フレーム（radio frame）である。あるいは、複数のサブフレームまたは複数の無線フレームをまとめて１タイムスロットとしても良い。
【００８５】
また、本実施の形態２において説明したＢＢＵ１０とＢＢＵ２０とに規定されるタイムスロット毎の優先度は、あくまで一例であり、本開示はこれに限定されない。例えば、連続する複数のタイムスロットにおいて、同一の優先度が規定されても良い。
【００８６】
（実施の形態２の変形例）
本実施の形態２では、ＢＢＵ１０およびＢＢＵ２０がそれぞれ優先度判定部１０６および優先度判定部２０６を備える例について説明した。本実施の形態２の変形例では、ＢＢＵ１０およびＢＢＵ２０が優先度判定部を備える代わりに、ＲＲＨ４０が、優先度判定部を備える例について説明する。
【００８７】
図５は、本実施の形態２の変形例に係る無線通信システムの要部構成の一例を示す図である。図５において、図３と同様の構成については、同一の符番を付し、説明を省略する。
【００８８】
図５のＢＢＵ１０およびＢＢＵ２０は、それぞれ、図３のＢＢＵ１０およびＢＢＵ２０と同様の構成である。図５のＲＲＨ４０は、図３のＲＲＨ４０に対して、優先度判定部４０７が追加され、下りリンク制御部４０２が下りリンク制御部４０８へ置き換わった構成を有する。
【００８９】
優先度判定部４０７は、所定時間毎に予め規定された優先度を記憶する。この優先度は、ＢＢＵ１０とＢＢＵ２０との間で、所定時間毎に優先的にＲＲＨとリンクを確立できるＢＢＵを規定する。優先度判定部４０７は、所定時間内にＢＢＵ１０とＢＢＵ２０とからそれぞれ制御信号を取得した場合、優先度に基づいて、下りリンクを確立するＢＢＵを判定する。そして、優先度判定部４０７は、下りリンクを確立するＢＢＵから取得した制御信号を選択し、選択した制御信号を下りリンク制御部４０８へ出力する。
【００９０】
下りリンク制御部４０８は、優先度判定部４０７から取得する制御信号に含まれるリンク確立の要求に対して、所定のアルゴリズムに基づいて、リンク確立処理を行う。そして、下りリンク制御部４０８は、上りリンク制御部４０５に対して、下りリンクを確立したＢＢＵの情報を通知する。
【００９１】
図５に示した変形例では、ＢＢＵ１０とＢＢＵ２０とは、それぞれ、ＲＲＨ４０へ送信すべきベースバンド信号がある場合、優先度を考慮することなく、下りリンクの確立を要求する情報（同期制御情報または同期要求）を含む制御信号をＲＲＨ４０へ出力する。そして、ＲＲＨ４０は、所定時間内に取得した制御信号の送信元のＢＢＵのうち、優先度の高いＢＢＵとリンク（下りリンクおよび上りリンク）の確立を行う。
【００９２】
このような変形例により、ＲＲＨ４０は、異なるＢＢＵがベースバンド信号を出力する場合であっても、いずれか１つのベースバンド信号の無線周波数信号処理を行い、無線周波数信号を送信するため、ＲＲＨ４０の通信エリア内における干渉を回避できる。その結果、無線通信システム全体のスループットを向上させることができる。
【００９３】
（実施の形態３）
実施の形態２では、タイムスロット毎に予めＢＢＵの優先度が規定されている例について説明した。本実施の形態３では、優先度が、各ＢＢＵの負荷状況により判定される例について説明する。
【００９４】
図６は、本実施の形態３に係る無線通信システムの要部構成を示す図である。なお、図６において、図４と同様の構成については、同一の符番を付し、詳細な説明を省略する。
【００９５】
図６のＢＢＵ１０は、図４のＢＢＵ１０に対して、優先度判定部１０６が優先度判定部１０８に置き換わった構成を有する。また、図６のＢＢＵ２０は、図４のＢＢＵ２０に対して、優先度判定部２０６が優先度判定部２０８に置き換わった構成を有する。
【００９６】
優先度判定部１０８および優先度判定部２０８は、それぞれ、ＢＢＵ１０の負荷に関する情報、および、ＢＢＵ２０の負荷に関する情報を取得する。負荷に関する情報は、例えば、無線パラメータやネットワーク設定の最適化を自律的に行うＳＯＮ（Self Organization Network）機能において、Ｘ２インタフェースを介してＢＢＵ間で通信される負荷情報の通知時のメッセージ（LOAD INFORMATION）等である。
【００９７】
そして、優先度判定部１０８は、それぞれのＢＢＵの負荷を比較し、ＢＢＵ１０の負荷がＢＢＵ２０の負荷よりも高い場合、下りリンク制御部１０７に対して、下りリンクの確立を要求する信号を含む制御信号の生成を指示する。一方で、優先度判定部１０８は、ＢＢＵ２０の負荷がＢＢＵ１０の負荷よりも高い場合、下りリンク制御部１０７に対して、ＢＢＵ１０とＲＲＨ４０との間でリンク確立を要求する信号を含む制御信号の生成を指示しない。
【００９８】
同様に、優先度判定部２０８は、それぞれのＢＢＵの負荷を比較し、ＢＢＵ２０の負荷がＢＢＵ１０の負荷よりも高い場合、下りリンク制御部２０７に対して、下りリンクの確立を要求する信号を含む制御信号の生成を指示する。一方で、優先度判定部２０８は、ＢＢＵ１０の負荷がＢＢＵ２０の負荷よりも高い場合、下りリンク制御部２０７に対して、ＢＢＵ１０とＲＲＨ４０との間でリンク確立を要求する信号を含む制御信号の生成を指示しない。
【００９９】
ただし、最も負荷が高いＢＢＵがベースバンド信号をＲＲＨ４０へ出力しない場合、次に負荷が高いＢＢＵがベースバンド信号をＲＲＨ４０へ出力してもよい。
【０１００】
この場合、優先度判定部１０８は、ＢＢＵ２０がベースバンド信号をＲＲＨ４０へ出力するか否かに関する情報を、コアネットワークインタフェース１０１、あるいは、図示しないＸ２インタフェース等の直接接続のインタフェース等を介して取得する。同様に、優先度判定部２０８は、ＢＢＵ１０がベースバンド信号をＲＲＨ４０へ出力するか否かに関する情報を、コアネットワークインタフェース２０１、あるいは、図示しないＸ２インタフェース等の直接接続のインタフェース等を介して取得する。
【０１０１】
つまり、ＢＢＵ１０およびＢＢＵ２０は、下りリンク制御部１０７および下りリンク制御部２０７のうちいずれか一方が制御信号を生成するように、優先度判定部１０８および優先度判定部２０８が各ＢＢＵの負荷に基づいて制御信号の生成を指示するか否かを決定する。
【０１０２】
その結果、ＲＲＨ４０の下りリンク制御部４０６は、ＢＢＵ１０またはＢＢＵ２０のいずれか一方から制御信号を取得する。そして、下りリンク制御部４０６は、下りリンクを確立したＢＢＵの情報を上りリンク制御部４０５に対して通知する。上りリンク制御部４０５は、下りリンクを確立したＢＢＵに対して、上りリンクの確立を要求する情報（同期制御情報または同期応答）を含む制御信号を出力する。
【０１０３】
下りリンクを確立したＢＢＵの上りリンク制御部（上りリンク制御部１０３または上りリンク制御部２０３）は、ＲＲＨ４０から制御信号を取得し、ＲＲＨ４０との上りリンクを確立する。
【０１０４】
そして、ＲＲＨ４０とのリンク（上りリンクおよび下りリンク）が確立されたＢＢＵのベースバンド信号処理部は、ＲＲＨ４０の無線周波数信号処理部４０３とベースバンド信号の送受信を実行する。
【０１０５】
以上、説明したように、本実施の形態３では、ＢＢＵ１０およびＢＢＵ２０は、互いの負荷に関する情報を取得し、ＢＢＵ１０およびＢＢＵ２０のうち、最も負荷が高いＢＢＵがベースバンド信号を出力する。
【０１０６】
このような構成により、負荷が高いＢＢＵが優先的にベースバンド信号を出力できるため、負荷が高いＢＢＵの負荷を低減させることができ、ＢＢＵの負荷を均一化できる。
【０１０７】
また、本実施の形態３では、最も負荷が高いＢＢＵがベースバンド信号を出力しない場合、次に負荷が高いＢＢＵがベースバンド信号を出力する。
【０１０８】
このような構成により、最も負荷が高いＢＢＵが優先されるタイムスロットにおいて、ＲＲＨが信号を送信しないという状況を回避でき、無線通信システム全体のスループットの低下を抑えることができる。
【０１０９】
なお、上記の各実施の形態では、ＲＲＨに２つのＢＢＵが接続される例について説明したが、本開示はこれに限定されない。３つ以上のＢＢＵがＲＲＨに接続されていても良い。
【０１１０】
なお、上記の各実施の形態では、複数のＢＢＵに接続されるＲＲＨが、セルの端に配置される例について説明したが、本開示はこれに限定されない。複数のＢＢＵに接続されるＲＲＨは、セルの端以外に配置されても良い。このような場合であっても、ＲＲＨ間の干渉の問題は解消できる。
【０１１１】
また、上記の各実施の形態では、ＲＲＨとＢＢＵの間が、光ファイバケーブルによって接続される例について説明したが、本開示はこれに限定されない。ＲＲＨとＢＢＵの間は、同軸ケーブル、メタルケーブル等で接続されても良い。
【０１１２】
また、上記の各実施の形態において説明したリンク確立の処理は、あくまで一例であり、本開示はこれに限定されない。
【０１１３】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０１１４】
また、上記各実施の形態では、本開示はハードウェアを用いて構成する例にとって説明したが、本開示はハードウェアとの連携においてソフトウェアでも実現することも可能である。
【０１１５】
また、上記各実施の形態の説明に用いた各機能ブロックは、典型的には、入力端子および出力端子を有する集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１６】
また、集積回路化の手法はＬＳＩに限るものではなく、専用回路または汎用プロセッサを用いて実現してもよい。ＬＳＩ製造後に、プログラムすることが可能なＦＰＧＡ（Ｆｉｅｌｅｄ  Ｐｒｏｇｒａｍｍａｂｌｅ  Ｇａｔｅ  Ａｒｒａｙ）、ＬＳＩ内部の回路セルの接続又は設定を再構成可能なリコンフィギュラブル  プロセッサ（Ｒｅｃｏｎｆｉｇｕｒａｂｌｅ  Ｐｒｏｃｅｓｓｏｒ）を利用してもよい。
【０１１７】
さらには、半導体技術の進歩又は派生する別技術により、ＬＳＩに置き換わる集積回路化の技術が登場すれば、当然、その技術を用いて機能ブロックを集積化してもよい。バイオ技術の適用等が可能性としてありえる。
【産業上の利用可能性】
【０１１８】
本開示は、Ｃ−ＲＡＮ構成を有する無線通信システムに有用である。
【符号の説明】
【０１１９】
１、２  セル
１０、２０、１００、２００  ＢＢＵ
１１〜１５、２１〜２５、４０  ＲＲＨ
３１〜３３  端末
１０１、２０１  コアネットワークインタフェース
１０２、２０２、４０１  光インタフェース
１０３、２０３、４０５  上りリンク制御部
１０４、２０４  ベースバンド信号処理部
１０５、１０７、２０５、２０７、４０２、４０６、４０８  下りリンク制御部
１０６、１０８、２０６、２０８、４０７  優先度判定部
４０３  無線周波数信号処理部
４０４  アンテナ
【図１】
2018074296.tif 000003
【図２】
2018074296.tif 000004
【図３】
2018074296.tif 000005
【図４】
2018074296.tif 000006
【図５】
2018074296.tif 000007
【図６】
2018074296.tif 000008